(57)【要約】【課題】本体部が円弧形状を呈することにより、本体部の大きさを小さくし、利便性、収納性を高めるとともに、使用後に自ら磁気治療器を剥がすことのできる磁気治療器貼付補助具を提供すること。【解決手段】本体部と、該本体部の一端に設けられた保持部と、前記本体部の他端に設けられた除去部とを有し、前記保持部に磁石が設けられてなる磁気治療器貼付補助具。【選択図】図１
2011229558.tif 000002
【特許請求の範囲】
【請求項１】
本体部と、該本体部の一端に設けられた保持部と、前記本体部の他端に設けられた除去部とを有し、
前記保持部に磁石が設けられてなる磁気治療器貼付用補助具。
【請求項２】
前記本体部の一端に、突起部（Ｉ）を有する弾性片がさらに設けられてなる請求項１記載の磁気治療器貼付用補助具。
【請求項３】
前記除去部が、１または複数の突起部（II）からなる請求項１または２記載の磁気治療器貼付用補助具。
【請求項４】
前記突起部（II）が、エラストマーである請求項１〜３のいずれか１項に記載の磁気治療器貼付用補助具。
【請求項５】
前記突起部（II）の高さが、１０〜２０ｍｍである請求項１〜４のいずれか１項に記載の磁気治療器貼付用補助具。
【請求項６】
前記本体部が、複数の着脱可能な本体部（Ｉ）および本体部（II）とからなり、
前記本体部（Ｉ）が半径１００〜１５０ｍｍの円弧、前記本体部（II）が半径１５０〜２００ｍｍの円弧状に形成されてなる請求項１〜５のいずれか１項に記載の磁気治療器貼付用補助具。
【発明の詳細な説明】
【技術分野】
【０００１】
本発明は、磁気治療器貼付用補助具に関する。さらに詳しくは、湾曲された本体部により、磁気治療器を所望の位置に貼り付け、または剥がすことのできる磁気治療器貼付用補助具に関する。
【背景技術】
【０００２】
磁気治療器は、たとえば図８に示されるように、頚側点Ｐ１および肩甲骨下角点Ｐ２の近傍に位置する僧帽筋Ｐ３を含んだ範囲において生じたコリをほぐす目的で、コリを生じた部位に貼り付けて使用されている。しかしながら、頚側点Ｐ１および肩甲骨下角点Ｐ２を結ぶ直線は、成人男性で約２２ｃｍであり、コリを生じた部位（以下、単に患部という場合がある）によっては手が届かない場合がある。その場合、一人で貼り付けることが困難であり、第三者により貼り付けてもらう必要がある。また、第三者に貼り付けてもらう場合には、患部を正確に伝えなければならず、かつ、伝えた位置に第三者が正確に貼り付ける必要があり、かかる意思の伝達は必ずしも容易ではない。そこで、患部が手の届かない部位である場合においても自ら磁気治療器を貼り付けることのできる貼付補助具がある（たとえば特許文献１）。そして特許文献１には、直線形状の本体部を有する貼付補助具も提案されている。しかしながら、かかる貼付補助具は直線形状の本体部を有するため、患部の直線状の位置まで腕を伸ばさなければならず、利便性が悪い。そこで、たとえば特許文献２には、略半円形状のアームを有する磁気治療器貼付用補助具が開示されている。特許文献２の磁気治療器貼付用補助具には、突起部が設けられており、使用者は、自ら突起部で患部を検索することもできる。
【先行技術文献】
【特許文献】
【０００３】
【特許文献１】実開昭６１−１７４９４７号公報
【特許文献２】特開２００９−２０７８２６号公報
【発明の概要】
【発明が解決しようとする課題】
【０００４】
しかしながら、特許文献２に記載の磁気治療器貼付用補助具は、アームが半円形状に湾曲しているため、所望の位置に磁気治療器を貼り付けることが可能であるものの、アームが大きく、操作性において利便性が悪い。また、収納に不便であるという問題がある。また、所望の部位に磁気治療器を貼り付け、使用した後に、剥がす段階において、容易に剥がすことができず、結局のところ第三者の手を借りて剥がす必要があるという問題がある。
【０００５】
本発明は上記問題に鑑みてなされたものであり、本体部が円弧形状を呈することにより、本体部の大きさを小さくし、利便性、収納性を高めるとともに、使用後に自ら磁気治療器を剥がすことのできる磁気治療器貼付補助具を提供することを目的とする。
【課題を解決するための手段】
【０００６】
本発明の磁気治療器貼付補助具は、本体部と、該本体部の一端に設けられた保持部と、前記本体部の他端に設けられた除去部とを有し、前記保持部に磁石が設けられてなることを特徴とする。
【０００７】
前記本体部の一端に、突起部（Ｉ）を有する弾性片がさらに設けられてなることが好ましい。
【０００８】
前記除去部が、１または複数の突起部（II）からなることが好ましい。
【０００９】
前記突起部（II）が、エラストマーであることが好ましい。
【００１０】
前記突起部（II）の高さが、１０〜２０ｍｍであることが好ましい。
【００１１】
前記本体部が、複数の着脱可能な本体部（Ｉ）および本体部（II）とからなり、前記本体部（Ｉ）が半径１００〜１５０ｍｍの円弧、前記本体部（II）が半径１５０〜２００ｍｍの円弧状に形成されてなることが好ましい。
【発明の効果】
【００１２】
本発明の磁気治療器貼付補助具によれば、本体部の大きさを小さくし、利便性、収納性を高めるとともに、使用後に自ら磁気治療器を剥がすことのできる磁気治療器貼付補助具を提供することができる。
【図面の簡単な説明】
【００１３】
【図１】本発明の磁気治療器貼付補助具の一実施形態（実施の形態１）における磁気治療器貼付補助具の側面図である。
【図２】本発明の磁気治療器貼付補助具の一実施形態（実施の形態１）における本体部（Ｉ）および本体部（II）を説明するための断面図である。
【図３】本発明の磁気治療器貼付補助具の一実施形態（実施の形態１）における突起部（II）を説明するための斜視図である。
【図４ａ】本発明の磁気治療器貼付補助具の一実施形態（実施の形態１）における磁気治療器貼付補助具の使用方法を説明するための説明図である。
【図４ｂ】本発明の磁気治療器貼付補助具の一実施形態（実施の形態１）における磁気治療器貼付補助具の使用方法を説明するための説明図である。
【図４ｃ】本発明の磁気治療器貼付補助具の一実施形態（実施の形態１）における磁気治療器貼付補助具の使用方法を説明するための説明図である。
【図４ｄ】本発明の磁気治療器貼付補助具の一実施形態（実施の形態１）における磁気治療器貼付補助具の使用方法を説明するための説明図である。
【図５】本発明の磁気治療器貼付補助具の一実施形態（実施の形態１）における磁気治療器貼付補助具の使用方法を説明するための説明図である。
【図６ａ】本発明の磁気治療器貼付補助具の一実施形態（実施の形態２）における磁気治療器貼付補助具の側面図である。
【図６ｂ】本発明の磁気治療器貼付補助具の一実施形態（実施の形態２）における磁気治療器貼付補助具の断面図である。
【図７】本発明の磁気治療器貼付補助具の一実施形態（実施の形態３）における磁気治療器貼付補助具の側面図である。
【図８】コリを生じる部位を説明するための説明図である。
【発明を実施するための形態】
【００１４】
実施の形態１
本発明の磁気治療器貼付補助具１は、図１、図２（ａ）および図２（ｂ）に示されるように、本体部２と、該本体部２の一端に設けられた保持部３と、前記本体部２の他端に設けられた除去部４とを有し、前記保持部３に磁石５が設けられてなる。また、前記本体部２の一端に、突起部（Ｉ）６を有する弾性片７が設けられている。
【００１５】
本体部２は、本発明の磁気治療器貼付補助具１の本体を構成し、使用者は本体部２の一部を把持することにより操作する。本体部２の材質としては特に限定されないが、軽量かつ実用に即した強度を有する点から、樹脂が好ましい。具体的には、ポリスチレン樹脂、ポリプロピレン樹脂、ポリアセタール樹脂等が好ましく、本実施の形態では、ポリアセタール樹脂とポリプロピレン樹脂からなる。
【００１６】
本体部２の長さとしては、２５ｃｍ以上が好ましく、２６ｃｍ以上がさらに好ましい。図８に示される頚側点Ｐ１と肩甲骨下角点Ｐ２の距離は、成人男性で約２２ｃｍである。そのため、本体部２が２５ｃｍよりも短い場合、コリを生じた部位に届かない可能性がある。本実施の形態では本体部２は２６．５ｃｍである。
【００１７】
本体部２は、半径１００〜２００ｍｍの円弧状に形成されてなる。すなわち、図８に示される頚側点Ｐ１と、僧帽筋Ｐ３の中心部までの距離は、成人男性で約１０５ｍｍ×１６５ｍｍであるため、本体部２が半径１００〜２００ｍｍの円弧状に形成されてなることにより、コリを生じた箇所に保持部３が届く。
【００１８】
保持部３は、前記本体部２の一端に設けられており、磁気治療器８を保持するための部位である。保持部３の内部または表面に露出するように磁石５が設けられており、これにより磁気治療器８を保持することが可能である。磁石５が内部に設けられている場合には、磁石５に空気中の不純物が付着するおそれがない。患部に磁気治療器８を貼り付けるには、患部に貼るまで保持部３から剥がれることなく患部に貼付後、保持部３から離れないとならないため保持部３に設けられる磁石５の表面磁束密度としては、２００〜５００ミリテスラ（ｍＴ）が好ましい。
【００１９】
除去部４は、前記本体部２の他端に設けられており、使用後の磁気治療器８を剥離させるための部位である。剥離を容易にするために、前記除去部４は１または複数の突起部（II）９からなり、該突起部（II）９が、エラストマーであることが好ましい。また、前記突起部（II）９の高さが、１０〜２０ｍｍであることが好ましい。すなわち、除去部４が１または複数の突起部（II）９から構成されることにより、使用者が突起部（II）９を患部に押し当てて患部を擦ることにより、磁気治療器８を患部から剥がすことができる。その際、突起部（II）９が弾性を有するエラストマーからなる場合には、突起部（II）９そのものが湾曲し、磁気治療器８の剥離が容易になる。突起部（II）９の先端は丸みを帯びた形状であり、これにより肌を傷つけるおそれがない。また、突起部（II）９の太さは３ｍｍ以上が好ましい。３ｍｍよりも細い場合、磁気治療器８へのひっかかりが悪くなる傾向がある。本実施の形態では、６±１ｍｍである。
【００２０】
エラストマーとしては特に限定されず、ＪＩＳ  Ｋ６２５３に準じて測定した硬度が５０±１０度の硬さを有するエラストマーを使用することができる。かかるエラストマーとしては、たとえば各種天然ゴム、合成ゴムを使用することができ、熱可塑性ゴム、熱硬化性ゴムのいずれも採用することができる。合成ゴムとしては、たとえばブタジエンゴム、イソプレンゴムを採用することができる。本実施の形態では、スチレンエチレンブチレンスチレンブロック共重合体（ＳＥＢＳ）ゴムを使用している。また、突起部（II）９の高さが１０〜２０ｍｍの場合、特に磁気治療器８の剥離が容易になる。すなわち、高さが１０〜２０ｍｍの場合、突起部（II）９を構成するエラストマーそのものの弾性力により突起部（II）９が適度に変形し、使用後の磁気治療器８を均すように剥がすことができる。本実施の形態では、突起部（II）９の高さは１０ｍｍである。突起部（II）９の形状および個数については、たとえば図３に記載のものを採用することができる。図３（ａ）、（ｃ）および（ｅ）には、突起部（II）９の個数が５つのものを例示しており、図３（ｂ）、（ｄ）および（ｆ）には、突起部（II）９の個数が３つのものを例示している。また、図３（ａ）および（ｂ）の突起部（II）９の高さは２０ｍｍであり、図３（ｃ）および（ｄ）の突起部（II）９の高さは１０ｍｍであり、図３（ｅ）および（ｆ）の突起部（II）９の高さは５ｍｍである。
【００２１】
突起部（II）９を、本体部２の一端に設ける手段としては特に限定されず、ねじで固着してもよいし、図２（ａ）に示されるように、突起部（II）９の基部に膨張部９ａを形成することにより、本体部２の一端に設けられた挿入部２ａに挿入してもよい。
【００２２】
次に、本実施の形態の磁気治療器貼付補助具１の使用方法について説明する。
【００２３】
図４ａに示されるように、まず、本実施の形態の磁気治療具貼付用保持具１の保持部３に磁気治療器８を設置する。磁気治療器８の磁石８ａは、保持部３に設けられた磁石５により磁着される。次に、図４ｂに示されるように、突起部（Ｉ）６によりコリを生じた部位（患部）を探す。参照符号Ｂは背部を示している。患部を探した後に、図４ｃに示されるように、弾性片７を弾性変形されて磁気治療器８を患部に押し当てる。この際、突起部（Ｉ）６を用いて探した患部と、弾性片７が変形することにより磁気治療器８が押し当てられる箇所とはわずかに位置が異なるため、適宜微調整をする。図４ｄに示されるように、患部に磁気治療器８が貼り付けられることとなる。
【００２４】
次に、使用後の磁気治療器８を剥がす工程について説明する。使用後の磁気治療器８は、図５に示されるように、突起部（II）９を患部に押し当てながら擦ることにより剥がされる。本実施の形態では、突起部（II）９の個数は５つである。前述のとおり突起部（II）９はエラストマーから構成されているため、それ自体わずかな粘性を有しており、患部から剥離された磁気治療器８の貼付面と接着されることになる。剥離の動作に加えて、かかる接着力が負荷されることにより容易に剥がすことができる。
【００２５】
実施の形態２
本実施の形態にかかる磁気治療器貼付用補助具１０は、図６（ａ）および（ｂ）に示されるように、本体部が、複数の着脱可能な本体部（Ｉ）１０ａおよび本体部（II）１０ｂとからなり、前記本体部（Ｉ）１０ａが半径１００〜１５０ｍｍの円弧、前記本体部（II）１０ｂが半径１５０〜２００ｍｍの円弧状に形成されてなるほかは、実施の形態１にかかる磁気治療器貼付用補助具１と同じである。
【００２６】
本実施の形態にかかる磁気治療器貼付用補助具１０は、本体部（Ｉ）１０ａが半径１１０ｍｍの円弧、前記本体部（II）１０ｂが半径１７０ｍｍの円弧状に形成されているため、本体部が直線形状の場合、および特許文献２に記載のような半円形上のアームを有する場合と比較して、磁気治療器貼付用補助具本体の大きさを小さくすることができ、操作における利便性および収納性を高めることができる。また、重量も軽減することができ、かつ、材料コストを減らすことができる。
【００２７】
実施の形態３
本実施の形態にかかる磁気治療器貼付用補助具１１は、図７に示されるように、本体部（Ｉ）１１ａおよび本体部（II）１１ｂとからなり、前記本体部（Ｉ）１１ａに対して、前記本体部（II）１１ｂが１２０〜１６０度傾斜されてなるほかは、実施の形態１にかかる磁気治療器貼付用補助具１１と同じである。本実施の形態にかかる磁気治療器貼付用補助具１１は、本体部（Ｉ）１１ａと本体部（II）１１ｂとが約１３５度の角度で固定されるよう固着部１２が形成されてなる。
【００２８】
該固着部１２としては、種々の固着方法を採用することができるが、たとえば本体部（Ｉ）１１ａに設けられた突片１３が、本体部（II）１１ｂに設けられた孔部１４に嵌合されるものを採用することができる。また不使用時には折りたためる機構を採用してもよい。
【００２９】
本実施の形態では、実施の形態１および２の磁気治療器貼付用補助具１（または磁気治療器貼付用補助具１０）のように本体部２が円弧状に形成されていなくとも、コリを生じた箇所に本体部（Ｉ）１１ａの保持部が届く。
【符号の説明】
【００３０】
１、１０、１１  磁気治療器貼付補助具
２  本体部
２ａ  挿入部
３  保持部
４  除去部
５、８ａ  磁石
６  突起部（Ｉ）
７  弾性片
８  磁気治療器
９  突起部（II）
９ａ  膨張部
１０ａ、１１ａ  本体部（Ｉ）
１０ｂ、１１ｂ  本体部（II）
１２  固着部
１３  突片
１４  孔部
Ｂ  背部
Ｐ１  頚側点
Ｐ２  肩甲骨下角点
Ｐ３  僧帽筋
【図１】
2011229558.tif 000003
【図２】
2011229558.tif 000004
【図３】
2011229558.tif 000005
【図４ａ】
2011229558.tif 000006
【図４ｂ】
2011229558.tif 000007
【図４ｃ】
2011229558.tif 000008
【図４ｄ】
2011229558.tif 000009
【図５】
2011229558.tif 000010
【図６ａ】
2011229558.tif 000011
【図６ｂ】
2011229558.tif 000012
【図７】
2011229558.tif 000013
【図８】
2011229558.tif 000014